【手続補正書】
【提出日】平成17年10月27日(2005.10.27)
【手続補正１】
【補正対象書類名】明細書
【補正対象項目名】特許請求の範囲
【補正方法】変更
【補正の内容】
【特許請求の範囲】
【請求項１】
光源手段から出射した光束の状態を他の状態に変えて出射する第１の光学系と、該第１の光学系からの光束を偏向手段としての多面体偏向器に導光する第２の光学系と、該多面体偏向器で反射偏向された光束を被走査面上に導光する結像光学系とを有する走査ユニットを複数有する光走査装置において、
該複数の走査ユニットのうち、２以上の走査ユニットは同一の多面体偏向器を併用しており、かつ該２以上の走査ユニットは該多面体偏向器の異なった偏向面で反射偏向した光束を用いており、
該２以上の走査ユニットのうち、該書き出し位置検出手段が設けられている走査ユニットと、該書き出し位置検出手段が設けられていない走査ユニットは、該該書き出し位置検出手段が設けられている走査ユニット（Ｓ１）が該被走査面の中央を走査しているときの偏向面Ｒａの法線と、該書き出し位置検出手段が設けられていない走査ユニット（Ｓ２）が該被走査面の中央を走査しているときの偏向面Ｒｂの法線とのなす角度のうち、該偏向面Ｒａの法線から偏向面Ｒｂへの法線へと該多面体偏向器の回転方向に沿って測ったときの角度θが１８０度以下と成るように配置していることを特徴とする光走査装置。
【請求項２】
光源手段から出射した光束の状態を他の状態に変えて出射する第１の光学系と、該第１の光学系からの光束を偏向手段としての多面体偏向器に導光する第２の光学系と、該多面体偏向器で反射偏向された光束を被走査面上に導光する結像光学系とを有する走査ユニットを複数有する光走査装置において、
該複数の走査ユニットのうち、２以上の走査ユニットは同一の多面体偏向器を併用しており、かつ該２以上の走査ユニットは該多面体偏向器の異なった偏向面で反射偏向した光束を用いており、
該２以上の走査ユニットの被走査面への書き出しタイミングは、各々該多面体偏向器の偏向面からの光束を１つの書き出し位置検知手段で検出し、該１つの書き出し位置検知手段からの信号を用いて決定されており、
該書き出し位置検知手段が設けられていない走査ユニットによる被走査面への書き出しタイミングは、該多面体偏向器の実測した走査周期を用いて決定していることを特徴とする光走査装置。
【請求項３】
光源手段から出射した光束の状態を他の状態に変えて出射する第１の光学系と、該第１の光学系からの光束を偏向手段としての多面体偏向器に導光する第２の光学系と、該多面体偏向器で反射偏向された光束を被走査面上に導光する結像光学系とを有する走査ユニットを複数有する光走査装置において、
該複数の走査ユニットのうち、２以上の走査ユニットは同一の多面体偏向器を併用しており、かつ該２以上の走査ユニットは該多面体偏向器の異なった偏向面で反射偏向した光束を用いており、
該２以上の走査ユニットの被走査面への書き出しタイミングは、各々該多面体偏向器の偏向面からの光束を１つの書き出し位置検知手段で検出し、該１つの書き出し位置検知手段からの信号を用いて決定されており、
該書き出し位置検出手段の配置されている位置を基準としたとき、該多面体偏向器の回転方向の最も上流側の走査ユニットで、該書き出しタイミング信号を得ており、
該２以上の走査ユニットのうち、該書き出し位置検出手段が設けられている走査ユニットと、該書き出し位置検出手段が設けられていない走査ユニットは、該該書き出し位置検出手段が設けられている走査ユニット（Ｓ１）が該被走査面の中央を走査しているときの偏向面Ｒａの法線と、該書き出し位置検出手段が設けられていない走査ユニット（Ｓ２）が該被走査面の中央を走査しているときの偏向面Ｒｂの法線とのなす角度のうち、該偏向面Ｒａの法線から偏向面Ｒｂへの法線へと回転方向に沿って測ったときの角度θが１８０度以下と成るように配置しており、
該該書き出し位置検出手段が設けられていない走査ユニットの被走査面への書き出しタイミングは同一の偏向面が１回転するときの実測した走査時間を用いて決定していることを特徴とする光走査装置。
【請求項４】
前記走査周期は、多面体偏向器の1回転の周期を測定した結果から割り出すことを特徴とする請求項２に記載の光走査装置。
【請求項５】
前記走査周期は、位置検知手段により周期を測定した結果から割り出すことを特徴とする請求項２に記載の光走査装置。
【請求項６】
前記複数の走査ユニットは光束が前記多面体偏向器に対して互いに対向しない面に入射する２つ以上の走査ユニットを含んでいることを特徴とする請求項１乃至５のいずれか一項に記載の光走査装置。
【請求項７】
前記複数の走査ユニットの光源手段のうち、少なくとも２つは、同一基板上に配置されていることを特徴とする請求項１乃至７のいずれか一項に記載の光走査装置。
【請求項８】
前記被走査面の書き出しタイミング用の光束を検出する為の書き出し位置検知手段を有し、前記多面体偏向器を介して前記書き出し位置検知手段へ向かう光束は、前記走査レンズ系を通過しないことを特徴とする請求項１乃至７のいずれか一項に記載の光走査装置。
【請求項９】
前記第２の光学系は、プラスティックモールドにより成形されていることを特徴とする請求項１乃至８のいずれか一項に記載の光走査装置。
【請求項１０】
各々が請求項１乃至９の何れか１項に記載の光走査装置の被走査面に配置され、互いに異なった色の画像を形成する複数の像担持体とを有することを特徴とするカラー画像形成装置。
【請求項１１】
外部機器から入力した色信号を異なった色の画像データに変換して各々の光走査装置に入力せしめるプリンタコントローラを有していることを特徴とする請求項１０記載のカラー画像形成装置。
【手続補正２】
【補正対象書類名】明細書
【補正対象項目名】００１３
【補正方法】変更
【補正の内容】
【００１３】
【課題を解決するための手段】
(1)本発明の光走査装置は、
光源手段から出射した光束の状態を他の状態に変えて出射する第１の光学系と、該第１の光学系からの光束を偏向手段としての多面体偏向器に導光する第２の光学系と、該多面体偏向器で反射偏向された光束を被走査面上に導光する結像光学系とを有する走査ユニットを複数有する光走査装置において、
該複数の走査ユニットのうち、２以上の走査ユニットは同一の多面体偏向器を併用しており、かつ該２以上の走査ユニットは該多面体偏向器の異なった偏向面で反射偏向した光束を用いており、
該２以上の走査ユニットのうち、該書き出し位置検出手段が設けられている走査ユニットと、該書き出し位置検出手段が設けられていない走査ユニットは、該該書き出し位置検出手段が設けられている走査ユニット（Ｓ１）が該被走査面の中央を走査しているときの偏向面Ｒａの法線と、該書き出し位置検出手段が設けられていない走査ユニット（Ｓ２）が該被走査面の中央を走査しているときの偏向面Ｒｂの法線とのなす角度のうち、該偏向面Ｒａの法線から偏向面Ｒｂへの法線へと該多面体偏向器の回転方向に沿って測ったときの角度θが１８０度以下と成るように配置していることを特徴としている。
(2)本発明の光走査装置は、
光源手段から出射した光束の状態を他の状態に変えて出射する第１の光学系と、該第１の光学系からの光束を偏向手段としての多面体偏向器に導光する第２の光学系と、該多面体偏向器で反射偏向された光束を被走査面上に導光する結像光学系とを有する走査ユニットを複数有する光走査装置において、
該複数の走査ユニットのうち、２以上の走査ユニットは同一の多面体偏向器を併用しており、かつ該２以上の走査ユニットは該多面体偏向器の異なった偏向面で反射偏向した光束を用いており、
該２以上の走査ユニットの被走査面への書き出しタイミングは、各々該多面体偏向器の偏向面からの光束を１つの書き出し位置検知手段で検出し、該１つの書き出し位置検知手段からの信号を用いて決定されており、
該書き出し位置検出手段の配置されている位置を基準としたとき、該多面体偏向器の回転方向の最も上流側の走査ユニットで、該書き出しタイミング信号を得ており、
該２以上の走査ユニットのうち、該書き出し位置検出手段が設けられている走査ユニットと、該書き出し位置検出手段が設けられていない走査ユニットは、該該書き出し位置検出手段が設けられている走査ユニット（Ｓ１）が該被走査面の中央を走査しているときの偏向面Ｒａの法線と、該書き出し位置検出手段が設けられていない走査ユニット（Ｓ２）が該被走査面の中央を走査しているときの偏向面Ｒｂの法線とのなす角度のうち、該偏向面Ｒａの法線から偏向面Ｒｂへの法線へと回転方向に沿って測ったときの角度θが１８０度以下と成るように配置しており、
該該書き出し位置検出手段が設けられていない走査ユニットの被走査面への書き出しタイミングは同一の偏向面が１回転するときの実測した走査時間を用いて決定していることを特徴としている。
(3)本発明の光走査装置は、
光源手段から出射した光束の状態を他の状態に変えて出射する第１の光学系と、該第１の光学系からの光束を偏向手段としての多面体偏向器に導光する第２の光学系と、該多面体偏向器で反射偏向された光束を被走査面上に導光する結像光学系とを有する走査ユニットを複数有する光走査装置において、
該複数の走査ユニットのうち、２以上の走査ユニットは同一の多面体偏向器を併用しており、かつ該２以上の走査ユニットは該多面体偏向器の異なった偏向面で反射偏向した光束を用いており、
該２以上の走査ユニットの被走査面への書き出しタイミングは、各々該多面体偏向器の偏向面からの光束を１つの書き出し位置検知手段で検出し、該１つの書き出し位置検知手段からの信号を用いて決定されており、
該書き出し位置検出手段の配置されている位置を基準としたとき、該多面体偏向器の回転方向の最も上流側の走査ユニットで、該書き出しタイミング信号を得ており、
該２以上の走査ユニットのうち、該書き出し位置検出手段が設けられている走査ユニットと、該書き出し位置検出手段が設けられていない走査ユニットは、該該書き出し位置検出手段が設けられている走査ユニット（Ｓ１）が該被走査面の中央を走査しているときの偏向面Ｒａの法線と、該書き出し位置検出手段が設けられていない走査ユニット（Ｓ２）が該被走査面の中央を走査しているときの偏向面Ｒｂの法線とのなす角度のうち、該偏向面Ｒａの法線から偏向面Ｒｂへの法線へと回転方向に沿って測ったときの角度θが１８０度以下と成るように配置しており、
該該書き出し位置検出手段が設けられていない走査ユニットの被走査面への書き出しタイミングは同一の偏向面が１回転するときの実測した走査時間を用いて決定していることを特徴としている。
【手続補正３】
【補正対象書類名】明細書
【補正対象項目名】００１５
【補正方法】変更
【補正の内容】
【００１５】
ここで、主走査方向とは多面体偏向器の回転軸及び結像光学系の光軸に垂直な方向（多面体偏向器で光束が反射偏向（偏向走査）される方向）を示し、副走査方向とは多面体偏向器の回転軸と平行な方向を示す。また主走査断面とは主走査方向に平行で結像光学系の光軸を含む平面を示す。また副走査断面とは主走査断面と垂直な断面を示す。
【手続補正４】
【補正対象書類名】明細書
【補正対象項目名】００１６
【補正方法】変更
【補正の内容】
【００１６】
図中、Ｓ１，Ｓ２は各々第１、第２の走査ユニット（以下、「ステーション」とも称す。）である。第１、第２の走査ユニットＳ１，Ｓ２は、各々光源手段（１ａ，１ｂ）から出射した光束の状態を変える第１の光学系（２ａ，２ｂ）と、主走査方向に長い線像として結像させる第２の光学系（３ａ，３ｂ）と、光束を規制する開口絞り（４ａ，４ｂ）と、偏向手段としての多面体偏向器５と、該多面体偏向器で反射偏向された光束を被走査面上にスポットに形成する結像光学系（６ａ，６ｂ）とを有している。
【手続補正５】
【補正対象書類名】明細書
【補正対象項目名】００２７
【補正方法】変更
【補正の内容】
【００２７】
結像光学系は単一の走査レンズ６ａ，６ｂより成り、多面体偏向器５により反射偏向された光束を被走査面７ａ，７ｂ上にスポット状に結像させている。走査レンズ６ａ，６ｂは副走査断面内において光偏向器５の偏向面５ａ，５ｂ近傍と被走査面７ａ，７ｂ近傍との間を共役関係にすることにより、倒れ補正機能を有している。
【手続補正６】
【補正対象書類名】明細書
【補正対象項目名】００８１
【補正方法】変更
【補正の内容】
【００８１】
［実施態様１］
光源手段から出射した光束の状態を他の状態に変えて出射する第１の光学系と、該第１の光学系からの光束を偏向手段としての多面体偏向器に導光する第２の光学系と、該多面体偏向器で反射偏向された光束を被走査面上に導光する結像光学系とを有する走査ユニットを複数有する光走査装置において、
該複数の走査ユニットのうち、２以上の走査ユニットは同一の多面体偏向器を併用しており、かつ該２以上の走査ユニットは該多面体偏向器の異なった偏向面で反射偏向した光束を用いており、
該２以上の走査ユニットのうち、該書き出し位置検出手段が設けられている走査ユニットと、該書き出し位置検出手段が設けられていない走査ユニットは、該該書き出し位置検出手段が設けられている走査ユニット（Ｓ１）が該被走査面の中央を走査しているときの偏向面Ｒａの法線と、該書き出し位置検出手段が設けられていない走査ユニット（Ｓ２）が該被走査面の中央を走査しているときの偏向面Ｒｂの法線とのなす角度のうち、該偏向面Ｒａの法線から偏向面Ｒｂへの法線へと該多面体偏向器の回転方向に沿って測ったときの角度θが１８０度以下と成るように配置していることを特徴とする光走査装置。
【手続補正７】
【補正対象書類名】明細書
【補正対象項目名】００８２
【補正方法】変更
【補正の内容】
【００８２】
［実施態様２］
光源手段から出射した光束の状態を他の状態に変えて出射する第１の光学系と、該第１の光学系からの光束を偏向手段としての多面体偏向器に導光する第２の光学系と、該多面体偏向器で反射偏向された光束を被走査面上に導光する結像光学系とを有する走査ユニットを複数有する光走査装置において、
該複数の走査ユニットのうち、２以上の走査ユニットは同一の多面体偏向器を併用しており、かつ該２以上の走査ユニットは該多面体偏向器の異なった偏向面で反射偏向した光束を用いており、
該２以上の走査ユニットの被走査面への書き出しタイミングは、各々該多面体偏向器の偏向面からの光束を１つの書き出し位置検知手段で検出し、該１つの書き出し位置検知手段からの信号を用いて決定されており、
該書き出し位置検知手段が設けられていない走査ユニットによる被走査面への書き出しタイミングは、該多面体偏向器の実測した走査周期を用いて決定していることを特徴とする光走査装置。
【手続補正８】
【補正対象書類名】明細書
【補正対象項目名】００８３
【補正方法】変更
【補正の内容】
【００８３】
［実施態様３］
光源手段から出射した光束の状態を他の状態に変えて出射する第１の光学系と、該第１の光学系からの光束を偏向手段としての多面体偏向器に導光する第２の光学系と、該多面体偏向器で反射偏向された光束を被走査面上に導光する結像光学系とを有する走査ユニットを複数有する光走査装置において、
該複数の走査ユニットのうち、２以上の走査ユニットは同一の多面体偏向器を併用しており、かつ該２以上の走査ユニットは該多面体偏向器の異なった偏向面で反射偏向した光束を用いており、
該２以上の走査ユニットの被走査面への書き出しタイミングは、各々該多面体偏向器の偏向面からの光束を１つの書き出し位置検知手段で検出し、該１つの書き出し位置検知手段からの信号を用いて決定されており、
該書き出し位置検出手段の配置されている位置を基準としたとき、該多面体偏向器の回転方向の最も上流側の走査ユニットで、該書き出しタイミング信号を得ており、
該２以上の走査ユニットのうち、該書き出し位置検出手段が設けられている走査ユニットと、該書き出し位置検出手段が設けられていない走査ユニットは、該該書き出し位置検出手段が設けられている走査ユニット（Ｓ１）が該被走査面の中央を走査しているときの偏向面Ｒａの法線と、該書き出し位置検出手段が設けられていない走査ユニット（Ｓ２）が該被走査面の中央を走査しているときの偏向面Ｒｂの法線とのなす角度のうち、該偏向面Ｒａの法線から偏向面Ｒｂへの法線へと回転方向に沿って測ったときの角度θが１８０度以下と成るように配置しており、
該該書き出し位置検出手段が設けられていない走査ユニットの被走査面への書き出しタイミングは同一の偏向面が１回転するときの実測した走査時間を用いて決定していることを特徴とする光走査装置。